(57)【要約】【課題】  移動通信端末から通信システムへの接続性の低下を抑制することを可能とする移動通信システム、ネットワーク装置及び移動通信方法を提供する。【解決手段】  ネットワーク装置２０は、第２通信システムに設けられる複数の第２セルのそれぞれと、複数の第２セルのそれぞれへの接続が成功したか否かに応じて重み付けされる優先度とを対応付けて管理するように構成された管理部２２と、複数の第２セルのそれぞれと対応付けられた優先度に基づいて、複数の第２セルの中から、移動通信端末を接続させるべき接続先セルを選択するように構成された選択部２３とを有する。【選択図】  図３
2011151612.tif 000002
【特許請求の範囲】
【請求項１】
移動通信端末、第１通信システム及び第２通信システムを有する移動通信システムであって、
前記第１通信システムは、
前記第２通信システムに設けられる複数の第２セルのそれぞれと、前記複数の第２セルのそれぞれへの接続が成功したか否かに応じて重み付けされる優先度とを対応付けて管理するように構成された管理部と、
前記複数の第２セルのそれぞれと対応付けられた前記優先度に基づいて、前記複数の第２セルの中から、前記移動通信端末を接続させるべき接続先セルを選択するように構成された選択部とを有することを特徴とする移動通信システム。
【請求項２】
前記第１通信システムは、
前記第２通信システムへの接続を試みる前に前記接続先セルの品質測定を前記移動通信端末に指示する品質測定指示を前記移動通信端末に送信するように構成された送信部と、
前記接続先セルの品質測定結果を前記移動通信端末から受信するように構成された受信部とをさらに有することを特等とする請求項１に記載の移動通信システム。
【請求項３】
前記第２通信システムへの接続は、前記第１通信システムから前記第２通信システムへのＩｎｔｅｒ−ＲＡＴハンドオーバであることを特徴とする請求項１に記載の移動通信システム。
【請求項４】
前記第２通信システムへの接続は、前記第２通信システムへのリダイレクションであることを特徴とする請求項１に記載の移動通信システム。
【請求項５】
移動通信端末、第１通信システム及び第２通信システムを有する移動通信システムにおいて、前記第１通信システムに設けられたネットワーク装置であって、
前記第２通信システムに設けられる複数の第２セルのそれぞれと、前記複数の第２セルのそれぞれへの接続が成功したか否かに応じて重み付けされる優先度とを対応付けて管理するように構成された管理部と、
前記複数の第２セルのそれぞれと対応付けられた前記優先度に基づいて、前記複数の第２セルの中から、前記移動通信端末を接続させるべき接続先セルを選択するように構成された選択部とを備えることを特徴とするネットワーク装置。
【請求項６】
移動通信端末、第１通信システム及び第２通信システムを有する移動通信システムに適用される移動通信方法であって、
前記第２通信システムに設けられる複数の第２セルのそれぞれと、前記複数の第２セルのそれぞれへの接続が成功したか否かに応じて重み付けされる優先度とを対応付けて管理するステップと、
前記複数の第２セルのそれぞれと対応付けられた前記優先度に基づいて、前記複数の第２セルの中から、前記移動通信端末を接続させるべき接続先セルを選択するステップとを備えることを特徴とする移動通信方法。
【発明の詳細な説明】
【技術分野】
【０００１】
本発明は、移動通信端末、第１通信システム及び第２通信システムを有する移動通信システム、移動通信システムで用いられるネットワーク装置及び移動通信方法に関する。
【背景技術】
【０００２】
近年、複数の通信システム間において、移動通信端末が通信を行う通信システムを切り替える方法が知られている。通信システムとしては、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システム、ＬＴＥ（Ｌｏｎｇ  Ｔｅｒｍ  Ｅｖｏｌｕｔｉｏｎ）に対応する通信システムなどである。
【０００３】
ここで、複数の通信システム間において、移動通信端末が通信を行う通信システムを切り替える方法としては、（１）Ｉｎｔｅｒ−ＲＡＴ（Ｒａｄｉｏ  Ａｃｃｅｓｓ  Ｔｅｃｈｎｏｌｏｇｙ）ハンドオーバ、（２）リダイレクションが考えられる。
【０００４】
（１）Ｉｎｔｅｒ−ＲＡＴハンドオーバでは、複数の通信システム間でハンドオーバに必要な情報（ＲＡＴ情報）を交換することによって、通信を切断せずに、複数の通信システム間でハンドオーバが行われる。しかしながら、各通信システムに設けられるＲＡＴ間の整合が必要であり、Ｉｎｔｅｒ−ＲＡＴハンドオーバを実現するための機能が多い。
【０００５】
（２）リダイレクションでは、移動通信端末は、リダイレクションが実行されると、待ち受け状態（Ｉｄｌｅ状態）に遷移して、新たな通信システムへの接続を試みる（例えば、特許文献１）。リダイレクションを実現するメッセージは、例えば、“ＲＲＣ  Ｃｏｎｎｅｃｔｉｏｎ  Ｒｅｑｕｅｓｔ”を拒絶する“ＲＲＣ  Ｃｏｎｎｅｃｔｉｏｎ  Ｒｅｊｅｃｔ”、移動通信端末に対して通信終了時に送信される“ＲＲＣ  Ｃｏｎｎｅｃｔｉｏｎ  Ｒｅｌｅａｓｅ”である。なお、ＬＴＥでは、“ＲＲＣ  Ｃｏｎｎｅｃｔｉｏｎ  Ｒｅｌｅａｓｅ”を用いてリダイレクションが実行される。
【先行技術文献】
【特許文献】
【０００６】
【特許文献１】特表２００９−５１０９６９号公報
【発明の概要】
【発明が解決しようとする課題】
【０００７】
ここで、Ｉｎｔｅｒ−ＲＡＴハンドオーバやリダイレクションでは、相手方の通信システムの故障や輻輳等を把握せずに、相手方の通信システムへの接続を試みるケースが考えられる。
【０００８】
このようなケースでは、従って、相手方の通信システムの故障や輻輳が原因で、相手方の通信システムへの接続が失敗することが考えられる。
【０００９】
ここで、相手方の通信システムの故障や輻輳等を把握していないケースでは、相手方の通信システムへの接続をさらに繰り返して試みる可能性がある。従って、移動通信端末から通信システムへの接続性が低下し、移動通信端末へのサービス性が低下してしまう。
【００１０】
そこで、本発明は、上述した課題を解決するためになされたものであり、移動通信端末から通信システムへの接続性の低下を抑制することを可能とする移動通信システム、ネットワーク装置及び移動通信方法を提供することを目的とする。
【課題を解決するための手段】
【００１１】
第１の特徴に係る移動通信システムは、移動通信端末、第１通信システム及び第２通信システムを有する。前記第１通信システムは、前記第２通信システムに設けられる複数の第２セルのそれぞれと、前記複数の第２セルのそれぞれへの接続が成功したか否かに応じて重み付けされる優先度とを対応付けて管理するように構成された管理部と、前記複数の第２セルのそれぞれと対応付けられた前記優先度に基づいて、前記複数の第２セルの中から、前記移動通信端末を接続させるべき接続先セルを選択するように構成された選択部とを有する。
【００１２】
第１の特徴において、前記第１通信システムは、前記第２通信システムへの接続を試みる前に前記接続先セルの品質測定を前記移動通信端末に指示する品質測定指示を前記移動通信端末に送信するように構成された送信部と、前記接続先セルの品質測定結果を前記移動通信端末から受信するように構成された受信部とをさらに有する。
【００１３】
第１の特徴において、前記第２通信システムへの接続は、前記第１通信システムから前記第２通信システムへのＩｎｔｅｒ−ＲＡＴハンドオーバである。
【００１４】
第１の特徴において、前記第２通信システムへの接続は、前記第２通信システムへのリダイレクションである。
【００１５】
第２の特徴に係るネットワーク装置は、移動通信端末、第１通信システム及び第２通信システムを有する移動通信システムにおいて、前記第１通信システムに設けられる。ネットワーク装置は、前記第２通信システムに設けられる複数の第２セルのそれぞれと、前記複数の第２セルのそれぞれへの接続が成功したか否かに応じて重み付けされる優先度とを対応付けて管理するように構成された管理部と、前記複数の第２セルのそれぞれと対応付けられた前記優先度に基づいて、前記複数の第２セルの中から、前記移動通信端末を接続させるべき接続先セルを選択するように構成された選択部とを備える。
【００１６】
第３の特徴に係る移動通信方法は、移動通信端末、第１通信システム及び第２通信システムを有する移動通信システムに適用される。移動通信方法は、前記第２通信システムに設けられる複数の第２セルのそれぞれと、前記複数の第２セルのそれぞれへの接続が成功したか否かに応じて重み付けされる優先度とを対応付けて管理するステップと、前記複数の第２セルのそれぞれと対応付けられた前記優先度に基づいて、前記複数の第２セルの中から、前記移動通信端末を接続させるべき接続先セルを選択するステップとを備える。
【発明の効果】
【００１７】
本発明によれば、移動通信端末から通信システムへの接続性の低下を抑制することを可能とする移動通信システム、ネットワーク装置及び移動通信方法を提供することができる。
【図面の簡単な説明】
【００１８】
【図１】第１実施形態に係る移動通信システム１００を示す図である。
【図２】第１実施形態に係るセルの構成例を示す図である。
【図３】第１実施形態に係るネットワーク装置２０を示す図である。
【図４】第１実施形態に係る管理テーブルを示す図である。
【図５】第１実施形態に係る移動通信システム１００の動作を示すシーケンス図である。
【図６】第１実施形態に係る移動通信システム１００の動作を示すシーケンス図である。
【図７】第１実施形態に係る移動通信システム１００の動作を示すシーケンス図である。
【図８】第１実施形態に係る移動通信システム１００の動作を示すシーケンス図である。
【図９】第１実施形態に係るネットワーク装置２０の動作を示すフロー図である。
【図１０】第１実施形態に係るネットワーク装置２０の動作を示すフロー図である。
【図１１】変更例１に係るネットワーク装置２０を示す図である。
【図１２】変更例１に係るネットワーク装置２０の動作を示すフロー図である。
【発明を実施するための形態】
【００１９】
以下において、本発明の実施形態に係る移動通信システムについて、図面を参照しながら説明する。なお、以下の図面の記載において、同一又は類似の部分には、同一又は類似の符号を付している。
【００２０】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２１】
［実施形態の概要］
実施形態に係る移動通信システムは、移動通信端末、第１通信システム及び第２通信システムを有する。第１通信システムは、第２通信システムに設けられる複数の第２セルのそれぞれと、複数の第２セルのそれぞれへの接続が成功したか否かに応じて重み付けされる優先度とを対応付けて管理するように構成された管理部と、複数の第２セルのそれぞれと対応付けられた優先度に基づいて、移動通信端末を接続させるべき接続先セルを選択するように構成された選択部とを有する。
【００２２】
実施形態では、選択部は、複数の第２セルのそれぞれへの接続が成功したか否かに応じて重み付けされる優先度に基づいて、移動通信端末を接続させるべき接続先セルを選択する。従って、相手方の通信システムの故障や輻輳等がない状態であっても、不適切な接続先セルの選択によって相手方の通信システムへの接続試行の繰り返しが生じることを抑制することができる。これによって、移動通信端末から通信システムへの接続性の低下が抑制される。
【００２３】
なお、実施形態では、第２通信システムへの接続は、第１通信システムから第２通信システムへのＩｎｔｅｒ−ＲＡＴハンドオーバ、又は、前記第２通信システムへのリダイレクションである。
【００２４】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２５】
図１に示すように、移動通信システム１００は、通信端末装置１０（以下、ＵＥ１０）と、コアネットワーク５０とを含む。また、移動通信システム１００は、第１通信システムと第２通信システムとを含む。
【００２６】
第１通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第１通信システムは、基地局１１０Ａ（以下、ＮＢ１１０Ａ）と、ホーム基地局１１０Ｂ（以下、ＨＮＢ１１０Ｂ）と、ＲＮＣ１２０Ａと、ホーム基地局ゲートウェイ１２０Ｂ（以下、ＨＮＢ−ＧＷ１２０Ｂ）と、ＳＧＳＮ１３０とを有する。
【００２７】
なお、第１通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＮＢ１１０Ａ、ＨＮＢ１１０Ｂ、ＲＮＣ１２０Ａ、ＨＮＢ−ＧＷ１２０Ｂによって構成される。
【００２８】
第２通信システムは、例えば、ＬＴＥ（Ｌｏｎｇ  Ｔｅｒｍ  Ｅｖｏｌｕｔｉｏｎ）に対応する通信システムである。第２通信システムは、例えば、基地局２１０Ａ（以下、ｅＮＢ２１０Ａ）と、ホーム基地局２１０Ｂ（以下、ＨｅＮＢ２１０Ｂ）と、ホーム基地局ゲートウェイ２２０Ｂ（以下、ＨｅＮＢ−ＧＷ２２０Ｂ）と、ＭＭＥ２３０とを有する。
【００２９】
なお、第２通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ｅＮＢ２１０Ａ、ＨｅＮＢ２１０Ｂ及びＨｅＮＢ−ＧＷ２２０Ｂによって構成される。
【００３０】
ＵＥ１０は、第１通信システム或いは第２通信システムと通信を行うように構成された装置（Ｕｓｅｒ  Ｅｑｕｉｐｍｅｎｔ）である。例えば、ＵＥ１０は、ＮＢ１１０Ａ及びＨＮＢ１１０Ｂと無線通信を行う機能を有する。或いは、ＵＥ１０は、ｅＮＢ２１０Ａ及びＨｅＮＢ２１０Ｂと無線通信を行う機能を有する。
【００３１】
ＮＢ１１０Ａは、マクロセル１１１Ａを有しており、マクロセル１１１Ａに存在するＵＥ１０と無線通信を行う装置（ＮｏｄｅＢ）である。
【００３２】
ＨＮＢ１１０Ｂは、特定セル１１１Ｂを有しており、特定セル１１１Ｂに存在するＵＥ１０と無線通信を行う装置（Ｈｏｍｅ  ＮｏｄｅＢ）である。
【００３３】
ＲＮＣ１２０Ａは、ＮＢ１１０Ａに接続されており、マクロセル１１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３４】
ＨＮＢ−ＧＷ１２０Ｂは、ＨＮＢ１１０Ｂに接続されており、特定セル１１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００３５】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３６】
ｅＮＢ２１０Ａは、マクロセル２１１Ａを有しており、マクロセル２１１Ａに存在するＵＥ１０と無線通信を行う装置（ｅｖｏｌｖｅｄ  ＮｏｄｅＢ）である。
【００３７】
ＨｅＮＢ２１０Ｂは、特定セル２１１Ｂを有しており、特定セル２１１Ｂに存在するＵＥ１０と無線通信を行う装置（Ｈｏｍｅ  ｅｖｏｌｖｅｄ  ＮｏｄｅＢ）である。
【００３８】
ＨｅＮＢ−ＧＷ２２０Ｂは、ＨｅＮＢ２１０Ｂに接続されており、ＨｅＮＢ２１０Ｂを管理する装置（Ｈｏｍｅ  ｅｖｏｌｖｅｄ  ＮｏｄｅＢ  Ｇａｔｅｗａｙ）である。
【００３９】
ＭＭＥ２３０は、ｅＮＢ２１０Ａと接続されており、ＨｅＮＢ２１０Ｂと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ２３０は、ＨｅＮＢ−ＧＷ２２０Ｂを介してＨｅＮＢ２１０Ｂと接続されており、ＨｅＮＢ２１０Ｂと無線接続を設定しているＵＥ１０の移動性を管理する装置である。
【００４０】
なお、マクロセル及び特定セルは、ＵＥ１０と無線通信を行う機能として理解すべきである。但し、マクロセル及び特定セルは、セルのサービスエリアを示す用語としても用いられる。また、マクロセル及び特定セルなどのセルは、セルで用いられる周波数、拡散コード又はタイムスロットなどによって識別される。
【００４１】
特定セルは、フェムトセル、ＣＳＧ（Ｃｌｏｓｅｄ  Ｓｕｂｓｃｒｉｂｅｒ  Ｇｒｏｕｐ）セル、ホームセルなどと称されることもある。また、特定セルは、特定セルにアクセス可能なＵＥ１０を規定するアクセス種別が設定可能に構成されている。アクセス種別は、「Ｃｌｏｓｅｄ」、「Ｈｙｂｒｉｄ」又は「Ｏｐｅｎ」である。
【００４２】
「Ｃｌｏｓｅｄ」の特定セルは、特定セルによって管理される特定ユーザ（ＵＥ；Ｕｓｅｒ  Ｅｑｕｉｐｍｅｎｔ）に対するサービスの提供のみが許可されるように構成される。
【００４３】
「Ｈｙｂｒｉｄ」の特定セルは、例えば、特定セルによって管理される特定ユーザに対して高品質の通信が許可されるように構成されており、特定セルによって管理されていない非特定ユーザに対してベストエフォート品質の通信が許可されるように構成される。
【００４４】
「Ｏｐｅｎ」の特定セルは、マクロセルと同様に、全てのＵＥ１０に対するサービスの提供が許可されるように構成される。なお、「Ｏｐｅｎ」のセルでは、特定セルによって管理されている否かによって、ＵＥ１０間の通信品質の差異が区別されない。
【００４５】
なお、アクセス種別は、アクセスクラス毎にＵＥ１０のアクセスを禁止する「ＡＣＣＥＳＳ  ＣＬＡＳＳ  ＢＡＲＲＥＤ」、セル毎にＵＥ１０のアクセスを禁止する「ＣＥＬＬ  ＢＡＲＲＥＤ」であってもよい。
【００４６】
（セルの構成例）
以下において、第１実施形態に係るセルの構成例について、図面を参照しながら説明する。図２は、第１実施形態に係るセルの構成例を示す図である。ここでは、３つの周波数（ｆ１〜ｆ３）を例に挙げて説明する。
【００４７】
図２に示すように、周波数ｆ１では、第１セル３１１が設けられる。周波数ｆ２では、第２セル３１２が設けられる。周波数ｆ３では、第２セル３１３が設けられる。
【００４８】
例えば、第１セル３１１は、第１通信システムに設けられるマクロセル１１１Ａ又は特定セル１１１Ｂである。第２セル３１２及び第２セル３１３は、第２通信システムに設けられるマクロセル２１１Ａ又は特定セル２１１Ｂである。
【００４９】
第１セル３１１は、第２セル３１２及び第２セル３１３と重複するサービスエリアを有しており、第２セル３１２及び第２セル３１３と略等しいサービスエリアを有する。
【００５０】
このようなセルの構成において、例えば、第２セル３１２において、ＵＥ１０のアクセスが禁止していることが考えられる。このようなケースにおいて、第１セル３１１に位置登録を行っているＵＥ１０が第２セル３１２への接続を試みても、第２セル３１２への接続が許可されない。従って、接続先セルとして、第２セル３１３を選択することが好ましい。
【００５１】
（ネットワーク装置の構成）
以下において、第１実施形態に係るネットワーク装置の構成について、図面を参照しながら説明する。図３は、第１実施形態に係るネットワーク装置２０を示す図である。図３に示すように、ネットワーク装置２０は、通信部２１と、管理部２２と、選択部２３とを有する。
【００５２】
なお、ネットワーク装置２０は、マクロセルを管理する装置（例えば、ＮＢ１１０Ａ、ｅＮＢ２１０Ａ）であってもよい。或いは、ネットワーク装置２０は、マクロセルを管理する装置の上位に設けられた装置（例えば、ＲＮＣ１２０Ａ、ＳＧＳＮ１３０、ＭＭＥ２３０）であってもよい。
【００５３】
なお、以下においては、第２通信システム（ＬＴＥ）への再接続について例示することに留意すべきである。このようなケースでは、ネットワーク装置２０は、例えば、ＲＮＣ１２０Ａである。
【００５４】
通信部２１は、ＵＥ１０と通信を行う。また、通信部２１は、他のネットワーク装置と通信を行う。
【００５５】
例えば、通信部２１は、ネットワーク装置２０の配下に設けられるマクロセルに在圏するＵＥ１０から接続要求メッセージ（例えば、“ＲＲＣ  Ｃｏｎｎｅｃｔｉｏｎ  Ｒｅｑｕｅｓｔ”）をＵＥ１０から受信する。
【００５６】
また、通信部２１は、第２通信システムへの接続をＵＥ１０に指示する接続指示メッセージをＵＥ１０に送信する。なお、接続指示メッセージ接続指示メッセージは、接続要求メッセージに応じてアイドル状態のＵＥ１０に送信する接続拒否メッセージ（例えば、“ＲＲＣ  Ｃｏｎｎｅｃｔｉｏｎ  Ｒｅｊｅｃｔ”）である。或いは、接続指示メッセージは、コネクト状態のＵＥ１０に送信する接続解放メッセージ（例えば、“ＲＲＣ  Ｃｏｎｎｅｃｔｉｏｎ  Ｒｅｌｅａｓｅ”）である。或いは、接続指示メッセージは、コネクト状態のＵＥ１０に対して、Ｉｎｔｅｒ−ＲＡＴハンドオーバを指示するハンドオーバコマンドである。
【００５７】
管理部２２は、ＵＥ１０を接続させるべき接続先セルを選択するための情報を含む管理テーブルを管理する。具体的には、管理部２２は、第２通信システムに設けられる複数の第２セルのそれぞれと、複数の第２セルのそれぞれへの接続が成功したか否かに応じて重み付けされる優先度とを対応付けて管理する。
【００５８】
詳細には、管理部２２は、図４に示す管理テーブルを管理する。図４に示すように、管理テーブルでは、“セル”、“種別”、“実施回数”、“失敗回数”、“重み”、“優先度”が関連付けられている。
【００５９】
“セル”は、第２通信システムに設けられる第２セルを示す情報である。“種別”は、第２セルへの接続の種別である。“種別”は、例えば、“リダイレクション”や“Ｉｎｔｅｒ−ＲＡＴハンドオーバ”である。
【００６０】
“実施回数”は、第２セルへの接続が試みられた回数である。“失敗回数”は、第２セルへの接続が失敗した回数である。“重み”は、優先度を重み付けするための値である。“重み”は、例えば、第２セルへの接続が失敗した失敗率である。
【００６１】
“優先度”は、優先度と対応付けられた第２セルが接続先セルとして選択される優先度である。例えば、第２セルへの接続が失敗した失敗率が高いほど、当該第２セルが接続先セルとして選択されにくくなるように、優先度は設定される。
【００６２】
選択部２３は、第２通信システムに設けられる複数の第２セルの中から、ＵＥ１０を接続させるべき接続先セルを選択する。具体的には、選択部２３は、管理部２２によって管理される管理テーブルを参照して、複数の第２セルのそれぞれと対応付けられた優先度を読み出す。続いて、選択部２３は、複数の第２セルのそれぞれと対応付けられた優先度に基づいて、複数の第２セルの中から、接続先セルを選択する。
【００６３】
選択部２３は、接続先セルが存在しない場合には、接続指示メッセージをＵＥ１０に送信しないと判定する。すなわち、ＵＥ１０と第１通信システムとの接続手順を継続する。或いは、ＵＥ１０と第１通信システムとの接続を維持する。
【００６４】
（移動通信システムの動作）
以下において、第１実施形態に係る移動通信システムの動作について、図面を参照しながら説明する。図５〜図８は、第１実施形態に係る移動通信システムの動作を示すシーケンス図である。
【００６５】
第１に、アイドル状態のＵＥ１０が第２通信システムへの接続を試みるケースについて説明する。図５は、第２通信システムへの接続を指示するケースを示しており、図６は、第２通信システムへの接続を指示しないケースを示している。
【００６６】
第２通信システムへの接続を指示するケースでは、図５に示すように、ステップ１０において、ＵＥ１０は、ＲＮＣ１２０Ａ（すなわち、ネットワーク装置２０）に対して、接続要求メッセージ（例えば、“ＲＲＣ  Ｃｏｎｎｅｃｔｉｏｎ  Ｒｅｑｕｅｓｔ”）を送信する。
【００６７】
ステップ１１において、ＲＮＣ１２０Ａは、第２通信システムに設けられる複数の第２セルの中から、ＵＥ１０を接続させるべき接続先セルを選択する。具体的には、選択部２３は、複数の第２セルのそれぞれと対応付けられた優先度に基づいて、複数の第２セルの中から、接続先セルを選択する。ここでは、接続先セルが存在するケースについて説明する。なお、ステップ１１の詳細については後述する（図９を参照）。
【００６８】
ステップ１２において、ＲＮＣ１２０Ａは、ＵＥ１０に対して、接続拒否メッセージ（例えば、“ＲＲＣ  Ｃｏｎｎｅｃｔｉｏｎ  Ｒｅｊｅｃｔ”）を接続指示メッセージとして送信する。
【００６９】
ステップ１３において、ＵＥ１０は、ｅＮＢ２１０Ａに対して、第２通信システム（ＬＴＥ）への接続指示メッセージを送信する（リダイレクション或いはＩｎｔｅｒ−ＲＡＴハンドオーバ）。
【００７０】
第２通信システムへの接続を指示しないケースでは、図６に示すように、ステップ２０において、ＵＥ１０は、ＲＮＣ１２０Ａ（すなわち、ネットワーク装置２０）に対して、接続要求メッセージ（例えば、“ＲＲＣ  Ｃｏｎｎｅｃｔｉｏｎ  Ｒｅｑｕｅｓｔ”）を送信する。
【００７１】
ステップ２１において、ＲＮＣ１２０Ａは、第２通信システムに設けられる複数の第２セルの中から、ＵＥ１０を接続させるべき接続先セルを選択する。具体的には、選択部２３は、複数の第２セルのそれぞれと対応付けられた優先度に基づいて、複数の第２セルの中から、接続先セルを選択する。ここでは、接続先セルが存在しないケースについて説明する。なお、ステップ２１の詳細については後述する（図９を参照）。
【００７２】
ステップ２２において、ＲＮＣ１２０Ａは、ＲＮＣ１２０ＡとＵＥ１０との間の接続（例えば、ＲＲＣ  Ｃｏｎｎｅｃｔｉｏｎ）を設定する。
【００７３】
第２に、コネクト状態のＵＥ１０が第２通信システムへの接続を試みるケースについて説明する。図７は、第２通信システムへの接続を指示するケースを示しており、図８は、第２通信システムへの接続を指示しないケースを示している。
【００７４】
第２通信システムへの接続を指示するケースでは、図７に示すように、ステップ３０において、ＵＥ１０は、第１通信システムと通信を行っている。すなわち、ＵＥ１０とＲＮＣ１２０Ａ（すなわち、ネットワーク装置２０）との間の接続（例えば、ＲＲＣ  Ｃｏｎｎｅｃｔｉｏｎ）が設定されている。
【００７５】
ステップ３１において、ＲＮＣ１２０Ａは、第２通信システムに設けられる複数の第２セルの中から、ＵＥ１０を接続させるべき接続先セルを選択する。具体的には、選択部２３は、複数の第２セルのそれぞれと対応付けられた優先度に基づいて、複数の第２セルの中から、接続先セルを選択する。ここでは、接続先セルが存在するケースについて説明する。なお、ステップ３１の詳細については後述する（図９を参照）。
【００７６】
ステップ３２において、ＲＮＣ１２０Ａは、ＵＥ１０に対して、接続拒否メッセージ（例えば、“ＲＲＣ  Ｃｏｎｎｅｃｔｉｏｎ  Ｒｅｊｅｃｔ”）を接続指示メッセージとして送信する。
【００７７】
ステップ３３において、ＵＥ１０は、ｅＮＢ２１０Ａに対して、第２通信システム（ＬＴＥ）への接続指示メッセージを送信する（リダイレクション或いはＩｎｔｅｒ−ＲＡＴハンドオーバ）。
【００７８】
第２通信システムへの接続を指示しないケースでは、図７に示すように、ステップ４０において、ＵＥ１０は、第１通信システムと通信を行っている。すなわち、ＵＥ１０とＲＮＣ１２０Ａ（すなわち、ネットワーク装置２０）との間の接続（例えば、ＲＲＣ  Ｃｏｎｎｅｃｔｉｏｎ）が設定されている。
【００７９】
ステップ４１において、ＲＮＣ１２０Ａは、第２通信システムに設けられる複数の第２セルの中から、ＵＥ１０を接続させるべき接続先セルを選択する。具体的には、選択部２３は、複数の第２セルのそれぞれと対応付けられた優先度に基づいて、複数の第２セルの中から、接続先セルを選択する。ここでは、接続先セルが存在しないケースについて説明する。なお、ステップ４１の詳細については後述する（図９を参照）。
【００８０】
ステップ４２において、ＲＮＣ１２０ＡとＵＥ１０との間に接続（例えば、ＲＲＣ  Ｃｏｎｎｅｃｔｉｏｎ）が維持される。
【００８１】
（ネットワーク装置の動作）
以下において、第１実施形態に係るネットワーク装置の動作について、図面を参照しながら説明する。図９は、第１実施形態に係るネットワーク装置２０の動作を示すフロー図である。ここでは、ステップ１１、ステップ２１、ステップ３１及びステップ４１におけるＲＮＣ１２０Ａ（すなわち、ネットワーク装置２０）の動作について説明する。
【００８２】
図９に示すように、ステップ１１０において、ＲＮＣ１２０Ａは、第２通信システムへの接続を指示するか否かを判定するためのトリガを検出する。例えば、ＲＮＣ１２０Ａは、アイドル状態のＵＥ１０からの接続要求メッセージ（例えば、“ＲＲＣ  Ｃｏｎｎｅｃｔｉｏｎ  Ｒｅｑｕｅｓｔ”）を検出する。或いは、ＲＮＣ１２０Ａは、コネクト状態のＵＥ１０が受ける干渉量が所定干渉量を超えたことを検出する。
【００８３】
ステップ１２０において、ＲＮＣ１２０Ａは、管理部２２によって管理される管理テーブルを参照する。具体的には、ＲＮＣ１２０Ａは、第２通信システムに設けられる複数の第２セルのそれぞれと対応付けられた優先度を読み出す。
【００８４】
ステップ１３０において、ＲＮＣ１２０Ａは、複数の第２セルのそれぞれと対応付けられた優先度に基づいて、複数の第２セルの中から、接続先セルを選択する。
【００８５】
ステップ１４０において、ＲＮＣ１２０Ａは、接続先セルが存在する否かを判定する。接続先セルが存在する場合には、ＲＮＣ１２０Ａは、ステップ１５０の処理に移る。接続先セルが存在しない場合には、ＲＮＣ１２０Ａは、ステップ１６０の処理に移る
ステップ１５０において、ＲＮＣ１２０Ａは、第２通信システムにＵＥ１０を接続させると判定する。すなわち、ＲＮＣ１２０Ａは、ステップ１３０で選択された接続先セルへの接続を指示する接続指示メッセージをＵＥ１０に送信すると判定する。
【００８６】
ステップ１６０において、ＲＮＣ１２０Ａは、第１通信システムにＵＥ１０を接続させると判定する。すなわち、ＲＮＣ１２０Ａは、接続指示メッセージをＵＥ１０に送信しないと判定する。
【００８７】
（優先度の更新方法）
以下において、第１実施形態に係る優先度の更新方法について、図面を参照しながら説明する。図１０は、第１実施形態に係るネットワーク装置２０の動作を示すフロー図である。なお、図１０に示すフローは、接続指示メッセージをＵＥ１０に送信した後の動作を示している。
【００８８】
図１０に示すように、ステップ２１０において、ネットワーク装置２０は、接続指示メッセージの送信回数（すなわち、リダイレクション又はInter−ＲＡＴハンドオーバの実施回数）をカウントする。
【００８９】
ステップ２２０において、ネットワーク装置２０は、判定時間がセットされたタイマを起動する。
【００９０】
ステップ２３０において、ネットワーク装置２０は、第２通信システムへの接続（リダイレクション又はInter−ＲＡＴハンドオーバ）の失敗を検出したか否かを判定する。例えば、ネットワーク装置２０は、接続要求メッセージ（例えば、“ＲＲＣ  Ｃｏｎｎｅｃｔｉｏｎ  Ｒｅｑｕｅｓｔ”）をＵＥ１０から受信した場合に、リダイレクション又はInter−ＲＡＴハンドオーバの失敗を検出する。リダイレクション又はInter−ＲＡＴハンドオーバの失敗が検出された場合には、ステップ２４０の処理に移る。リダイレクション又はInter−ＲＡＴハンドオーバの失敗が検出されない場合には、ステップ２５０の処理に移る。
【００９１】
ステップ２４０において、ネットワーク装置２０は、リダイレクション又はInter−ＲＡＴハンドオーバの失敗回数をカウントする。
【００９２】
ステップ２５０において、ネットワーク装置２０は、ステップ２２０で判定時間がセットされたタイマがタイムアウトしているか否かを判定する。タイマがタイムアウトしている場合には、ネットワーク装置２０は、ステップ２６０の処理に移る。タイマがタイムアウトしていない場合には、ステップ２３０の処理に戻る。
【００９３】
ステップ２６０において、ネットワーク装置２０は、失敗回数の更新結果に基づいて、図４に示す“重み”を更新するとともに、図４に示す“優先度”を更新する。
【００９４】
なお、図１０では示していないが、タイマがタイムアウトした場合に、ネットワーク装置２０は、リダイレクション又はInter−ＲＡＴハンドオーバの成功回数をカウントしてもよい。
【００９５】
（作用及び効果）
第１実施形態では、ネットワーク装置２０（選択部２３）は、第２通信システムに設けられる複数の第２セルのそれぞれへの接続が成功したか否かに応じて重み付けされる優先度に基づいて、ＵＥ１０を接続させるべき接続先セルを選択する。従って、相手方の通信システムの故障や輻輳等がない状態であっても、不適切な接続先セルの選択によって相手方の通信システムへの接続試行の繰り返しが生じることを抑制することができる。これによって、ＵＥ１０から通信システムへの接続性の低下が抑制される。
【００９６】
［変更例１］
以下において、第１実施形態の変更例１について、図面を参照しながら説明する。以下においては、第１実施形態との相違点について主として説明する。
【００９７】
具体的には、変更例１では、ネットワーク装置２０は、第２通信システムへの接続を試みる前に第２通信システムの品質測定をＵＥ１０に指示する品質測定指示をＵＥ１０に送信する。
【００９８】
（ネットワーク装置の構成）
以下において、変更例１に係るネットワーク装置の構成について、図面を参照しながら説明する。図１１は、変更例１に係るネットワーク装置２０を示す図である。図１１に示すように、ネットワーク装置２０は、図３に示す構成に加えて、指示部２４を有する。
【００９９】
指示部２４は、第２通信システムへの接続を指示するか否かを判定するためのトリガが検出された場合に、第２通信システム（接続先セル）の品質測定をＵＥ１０に指示する。具体的には、指示部２４は、品質測定指示をＵＥ１０に送信するように通信部２１に指示する。
【０１００】
上述した通信部２１は、品質測定指示に応じてＵＥ１０から送信される品質測定結果を受信する。品質測定結果は、例えば、第２通信システムに設けられる接続先セルから送信されるパイロットチャネルの受信品質（ＳＩＲ（Ｓｉｇｎａｌ  ｔｏ  Ｉｎｔｅｒｆｅｒｅｎｃｅ  Ｒａｔｉｏ）など）である。
【０１０１】
上述した選択部２３は、品質測定結果が所定品質を満たしているか否かに基づいて、第２通信システムへの接続を指示する接続指示メッセージをＵＥ１０に送信するか否かを判定する。
【０１０２】
具体的には、選択部２３は、品質測定結果が所定品質を満たしている場合に、接続指示メッセージをＵＥ１０に送信すると判定する。一方で、選択部２３は、品質測定結果が所定品質を満たしていない場合には、接続指示メッセージをＵＥ１０に送信しないと判定する。すなわち、選択部２３は、接続先セルが存在する場合であっても、品質測定結果が所定品質を満たしていない場合には、接続指示メッセージをＵＥ１０に送信しないと判定する。
【０１０３】
（ネットワーク装置の動作）
以下において、変更例１に係るネットワーク装置の動作について、図面を参照しながら説明する。図１２は、変更例１に係るネットワーク装置２０の動作を示すフロー図である。ここでは、図９と同様に、ステップ１１、ステップ２１、ステップ３１及びステップ４１におけるＲＮＣ１２０Ａ（すなわち、ネットワーク装置２０）の動作について説明する。
【０１０４】
なお、図１２では、図９と同様の処理について同様のステップ番号を付していることに留意すべきである。具体的には、図１２では、図９に示す処理に対して、ステップ１４１〜ステップ１４３が追加されている。
【０１０５】
図１２に示すように、ステップ１４１において、ＲＮＣ１２０Ａは、第２通信システム（接続先セル）の品質測定をＵＥ１０に指示する。具体的には、ＲＮＣ１２０Ａは、品質測定指示をＵＥ１０に送信する。
【０１０６】
ステップ１４２において、ＲＮＣ１２０Ａは、第２通信システム（接続先セル）の品質測定結果をＵＥ１０から受信する。
【０１０７】
ステップ１４３において、ＲＮＣ１２０Ａは、品質測定結果が所定品質を満たしているか否かを判定する。品質測定結果が所定品質を満たしている場合に、ＲＮＣ１２０Ａは、ステップ１５０の処理に移る。品質測定結果が所定品質を満たしていない場合に、ＲＮＣ１２０Ａは、ステップ１６０の処理に移る。
【０１０８】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【０１０９】
上述した実施形態では、第１通信システムがＵＭＴＳに対応する通信システムであり、第２通信システムがＬＴＥに対応する通信システムである。すなわち、ＬＴＥへの接続（リダイレクション又はInter−ＲＡＴハンドオーバ）について説明した。しかしながら、実施形態は、これに限定されるものではない。具体的には、第１通信システムがＬＴＥに対応する通信システムであり、第２通信システムがＵＭＴＳに対応する通信システムであってもよい。すなわち、ＵＭＴＳへの接続（リダイレクション又はInter−ＲＡＴハンドオーバ）に適用してもよい。さらに、第２通信システムは、Ｗｉ−ＭＡＸ等などの他のＲＡＴ（Ｒａｄｉｏ  Ａｃｃｅｓｓ  Ｔｅｃｈｎｏｌｏｇｙ）を有する通信システムであってもよい。
【０１１０】
上述した実施形態では特に触れていないが、ネットワーク装置２０は、ＵＥ１０が第２通信システムに接続する能力を有するか否かを判定してもよい。
【０１１１】
上述した実施形態において、ネットワーク装置２０に設けられた構成（通信部２１、管理部２２、選択部２３及び指示部２４）が一つの装置に設けられるケースについて例示した。しかしながら、実施形態は、これに限定されるものではない。すなわち、通信部２１、管理部２２、選択部２３及び指示部２４は、それぞれ、別々な装置に設けられていてもよい。
【０１１２】
各装置間の通信では、ＲＡＮＡＰ（Ｒａｄｉｏ  Ａｃｃｅｓｓ  Ｎｅｔｗｏｒｋ  Ａｐｐｌｉｃａｔｉｏｎ  Ｐａｒｔ）、ＮＢＡＰ（Ｎｏｄｅ  Ｂ  Ａｐｐｌｉｃａｔｉｏｎ  Ｐａｒｔ）、ＲＮＳＡＰ（Ｒａｄｉｏ  Ｎｅｔｗｏｒｋ  Ｓｕｂｓｙｓｔｅｍ  Ａｐｐｌｉｃａｔｉｏｎ  Ｐａｒｔ）、ＨＮＢＡＰ（Ｈｏｍｅ  Ｎｏｄｅ  Ｂ  Ａｐｐｌｉｃａｔｉｏｎ  Ｐａｒｔ）などの制御信号が用いられる。
【０１１３】
なお、ネットワーク装置２０の動作は、ハードウェアによって実施されてもよいし、プロセッサによって実行されるソフトウェアモジュールによって実施されてもよいし、両者の組み合わせによって実施されてもよい。
【０１１４】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１１５】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ネットワーク装置２０内に設けられていてもよい。また、かかる記憶媒体及びプロセッサは、ディスクリートコンポーネントとしてネットワーク装置２０内に設けられていてもよい。
【符号の説明】
【０１１６】
１０…通信端末装置、２０…ネットワーク装置、２１…通信部、２２…管理部、２３…選択部、２４…指示部、５０…コアネットワーク、１００…移動通信システム、１１０Ａ…ＮＢ、１１０Ｂ…ＨＮＢ、１１１Ａ…マクロセル、１１１Ｂ…特定セル、１２０Ａ…ＲＮＣ、１２０Ｂ…ＨＮＢ−ＧＷ、１３０…ＳＧＳＮ、２１０Ａ…ｅＮＢ、２１０Ｂ…ＨｅＮＢ、２１１Ａ…マクロセル、２１１Ｂ…特定セル、２２０Ｂ…ＨｅＮＢ−ＧＷ、２３０…ＭＭＥ、３１１…第１セル、３１２，３１３…第２セル
【図１】
2011151612.tif 000003
【図２】
2011151612.tif 000004
【図３】
2011151612.tif 000005
【図４】
2011151612.tif 000006
【図５】
2011151612.tif 000007
【図６】
2011151612.tif 000008
【図７】
2011151612.tif 000009
【図８】
2011151612.tif 000010
【図９】
2011151612.tif 000011
【図１０】
2011151612.tif 000012
【図１１】
2011151612.tif 000013
【図１２】
2011151612.tif 000014